(57)【要約】      （修正有）【課題】狭小間口の住宅や長スパン開口の住宅建築に対応する。【解決手段】木構造の軸組部の柱と梁の接合部に柄とガゼットプレートを設けてモーメント抵抗接合した木造門型ラーメン構法で複数の柱の柱頭と柱脚に曲げモーメントと引張力を処理する柄とさらに柱頭にせん断力を処理するガゼットプレートを設けておき柱頭の柄とガゼットプレートに梁をセットしてドリフトピンやボルトで緊結して柱脚の柄に緊結金物をセットして此れを基礎のアンカーボルトに接続して基礎に緊結した木造門型ラーメンで固定荷重及び積載荷重等の鉛直応力と地震や暴風等の水平応力を負担させる。【選択図】図１
0003100810.tif 000002
【実用新案登録請求の範囲】
【請求項１】
0003100810.tif 000024
モーメント抵抗接合した木造門型ラーメン構法で複数の柱の柱頭と柱
0003100810.tif 000025
ットプレートに梁をセットしてドリフトピンやボルトで固定して緊結
0003100810.tif 000026
ルトに接続して基礎に緊結した木造門型ラーメンフレーム
【請求項２】
請求項１の柱頭に使用する柱と梁を緊結する為に軸部にドリフトピ
0003100810.tif 000027
【考案の詳細な説明】
【技術分野】
【０００１】本考案は木構造の軸組部の柱と梁のモーメント抵抗接合に関するものである
【背景技術】
【０００２】従来の木構造の軸組部の柱と梁のモーメント抵抗接合仕口工法には大断面構造が主流で木造住宅用の小断面構造による軸組には接合部の強度や耐火の問題があり日本ではほとんど普及していない【０００３】木質構造大断面構造によるモーメント抵抗接合仕口には
１  ガセット板接合タイプ
２  交差重ね合わせタイプ
３  フランジ接合タイプ
４  引張りボルトタイプ
５  鉄筋挿入接着剤充填タイプ等がある
【考案の開示】
【考案が解決しようとうる課題】
【０００４】解決しようとする問題点は木材の材質による異方性の問題と大断面構造による工法でも下記のような問題がある
【０００５】ガセット板接合タイプは鋼鈑挿入型ドリフトピン接合と鋼鈑添え板型ボルト接合があるし交差重ね合わせタイプはジベルとボルトで接合させる工法で両タイプ共  木材が強度変形性能において異方性を有する材料であるため曲げモーメントの応力解析が鋼鈑やコンクリートのような均質等方性設計が出来ないし部材の大きさも仕口部で決まるので不経済である
【０００６】フランジ接合タイプ及び引張りボルト接合タイプはボルトやラグスクリュウで接合させる構法だが建方時に梁受け用の仮設材がいる
【０００７】鉄筋挿入接着剤充填接合タイプは建方時に梁受け用の仮設材がいるし接着剤が強度を発現するまで荷重を負担出来ないし施工性が悪い
【課題を解決するための手段】
【０００８】以上の様な課題を解決する為にこの考案では木構造の軸組部の柱と梁
0003100810.tif 000003
造門型ラーメン構法で複数の柱の柱頭と柱脚に曲げモーメントと引張
0003100810.tif 000004
礎のアンカーボルトに接続して基礎に緊結した木造門型ラーメンで固定荷重及び積載荷重等の鉛直応力と地震や暴風等の水平応力を負担させる
【考案の効果】
【０００９】本考案の木造門型ラーメンを木造住宅の軸組に使用すると阪神大震災以後に出来た住宅の品質確保の促進等に関する法律により耐力壁を大量にバランスよく設けなければならなくなったため壁が大量に必要になり狭小間口の住宅や長スパン開口の住宅建築で苦慮しているが木造門型ラーメンを使用するとこれらを処理できる
【００１０】
0003100810.tif 000005
をガセットプレートで処理出来るので構造計算により部材を算出できるし接合金物も木材の内部にセットされるので耐火性能も期待できる
【考案を実施するための最良の形態】
【００１１】
0003100810.tif 000006
フトピン用の穴を設けて更にガセットプレートのセット用ボルト穴と
0003100810.tif 000007
ガセットプレートを固定するためのドリフトピン用穴を設けた梁を柱
0003100810.tif 000008
と梁端部を緊結する
0003100810.tif 000009
きガセットプレートには柱頭にガセットプレートを固定するボルト用の雌ネジと梁を固定するためのドリフトピン用穴を設けて置く【００１２】
0003100810.tif 000010
上端に座金とボルトとで固定して緊結金物の下端で基礎のアンカーボルトに座金とナットで固定して柱脚を基礎に緊結する
0003100810.tif 000011
て置くまた緊結金物の上端にはボルト用穴と下端にはアンカーボルト固定用の穴を設けて置く
【実施例１】
【００１３】
0003100810.tif 000012
ドリフトピン用の穴を設けて更にガセットプレートのセット用ボルト
0003100810.tif 000013
入してセットしてドリフトピン用穴にドリフトピンを打ち込み柱脚に
0003100810.tif 000014
金物の下端で基礎のアンカーボルトに座金とナットで固定して柱脚を基礎に緊結する                        請求項１の木造門型ラーメン
【実施例２】
【００１４】柱の柱頭分にガセットプレートのセット用ボルト穴と座彫りを設けてガセットプレート用の座彫りにガセットプレートをセットしてボルト用穴にボルトを挿入してガセットプレートを柱頭に固定して置き更に
0003100810.tif 000015
0003100810.tif 000016
ガセットプレートを固定するためのドリフトピン用穴を設けた梁をガセットプレートにセットしてドリフトピンで固定して柱頭と梁端部を
0003100810.tif 000017
請求項１の木造門型ラーメンの柱頭部接合方法
【実施例３】
【００１５】
0003100810.tif 000018
【産業上の利用可能性】
【００１６】  本考案の木造門型ラーメンは全ラーメン構造用として木造軸組に利用でき壁無の長スパン開口や大空間建築が建設できる【００１７】  本考案の木造門型ラーメンは木造住宅等の小断面構造用として全ラーメン構造として利用できるし  狭小間口のガレージ等に木造門型ラーメンが必要な箇所に必要な数だけ使用する事も出来る【００１８】  本考案の木造門型ラーメンは木造住宅等のリホームに使用すると耐力壁付柱と壁を撤去できるので大空間が取れる
【図面の簡単な説明】
【００１９】
【図１】木造門型ラーメンの実施方法を示した説明の立面図（実施例１）
【図２】木造門型ラーメンの実施方法を示した柱頭部説明の断面詳細図（実施例１）
【図３】木造門型ラーメンの実施方法を示した柱脚部説明の断面詳細図（実施例１）
【図４】 
0003100810.tif 000019
【図５】 
0003100810.tif 000020
【図６】 
0003100810.tif 000021
【図７】 
0003100810.tif 000022
【図８】木造門型ラーメンの柱脚部に使用する緊結金物の平面図
【図９】木造門型ラーメンの柱脚部に使用する緊結金物の断面図
【図１０】木造門型ラーメンの緊結金物に使用するワッシャの平面図
【符号の説明】
【００２０】１  柱
２  梁
３  基礎
0003100810.tif 000023
５  ガセットプレート
６  ドリフトピン
７  穴
８  ボルト
９  緊結金物
１０  ワッシャ
１１  アンカーボルト
１２  雌ネジ
１３  ナット
１４  溝
１５  座彫
【図１】
0003100810.tif 000028
【図２】
0003100810.tif 000029
【図３】
0003100810.tif 000030
【図４】
0003100810.tif 000031
【図５】
0003100810.tif 000032
【図６】
0003100810.tif 000033
【図７】
0003100810.tif 000034
【図８】
0003100810.tif 000035
【図９】
0003100810.tif 000036
【図１０】
0003100810.tif 000037